(57)【特許請求の範囲】
【請求項１】
入賞の発生に応じて遊技媒体を払い出す遊技機と、遊技者が獲得した遊技媒体を計数する計数機と、前記遊技機及び前記計数機の稼動状況を管理する管理装置と、が設置された遊技場における遊技場用システムにおいて、
前記計数機は、計数作業を行う従業員のＩＤを認証する従業員ＩＤ認証手段を有し、当該従業員ＩＤを認証することを条件として計数不能状態から計数可能状態へ移行するとともに、当該計数可能状態において遊技媒体の計数が可能となるように構成され、
前記管理装置は、前記従業員ＩＤを認証した履歴を認証履歴情報として記録するとともに、前記計数機が計数不能状態から計数可能状態へ移行してから再度計数不能状態へ復帰するまでの間に実行した計数処理の履歴を前記従業員ＩＤと対応付けた計数履歴として記録する履歴記録手段を備え、
前記履歴記録手段は、前記計数機が従業員ＩＤを認証して計数不能状態から計数可能状態へ移行した後に先の従業員ＩＤと異なる従業員ＩＤを認証したときは、計数作業を行う従業員が途中で交代したものとして当該異なる従業員ＩＤを記録することを特徴とする遊技場用システム。
【請求項２】
前記管理装置は、前記従業員ＩＤを認証した認証回数と、前記計数処理の回数とを計数するとともに、当該計数処理回数を認証回数で除算することにより１回の認証に対する計数処理回数の平均値を求める平均計数処理回数算出手段を備えたことを特徴とする請求項１に記載した遊技場用システム。
【発明の詳細な説明】
【技術分野】
【０００１】
本発明は遊技場用システムに関する。
【背景技術】
【０００２】
従来、例えば特許文献１に記載されているように、一般的な遊技場においては遊技者が獲得した遊技媒体を従業員が計数機で計数するようにしている。これは、遊技者に対するサービス向上という目的だけでなく計数時の不正行為を抑制するという目的もあって、従業員の作業負担が小さくないのが実情であり、遊技場経営者は各従業員の計数作業状況を把握する必要があった。
【先行技術文献】
【特許文献】
【０００３】
【特許文献１】特開２０１４−１２４４６２号公報
【発明の概要】
【発明が解決しようとする課題】
【０００４】
本発明は、上記した事情に鑑みてなされたもので、その目的は、従業員による計数作業の状況を精度よく把握することが可能な遊技場用システムを提供することにある。
【課題を解決するための手段】
【０００５】
遊技場用システムにおいて、従業員ＩＤの認証履歴だけでなく、従業員が実際に行った計数処理の履歴も合わせて確認することができるので、各従業員の計数作業の状況をより詳細に把握することが可能となる。
【図面の簡単な説明】
【０００６】
【図１】本発明の一実施形態を示す全体構成図
【図２】計数装置の機能ブロック図
【図３】計数作業履歴データを示す図
【図４】作業員別集計データを示す図
【図５】計数作業履歴記録処理の流れを示すフローチャート
【発明を実施するための形態】
【０００７】
以下、本発明の一実施形態について、図面を参照して説明する。図１は、遊技場用システムの全体構成を概略的に示しており、遊技場には、複数の遊技機島１が設けられている。同図に示すように、各遊技機島１には、多数の遊技機２や、これに対応する多数の貸出装置３が設置されており、各遊技機島１の端部には、呼出ランプ４や島端計数装置５が設置されている。こうした遊技機２、貸出装置３、呼出ランプ４、島端計数装置５等の各種機器は、ＬＡＮ６ａを介して中継装置７に接続されている。中継装置７は、ＬＡＮ６ｂを介して、管理装置８や景品交換端末（ＰＯＳ端末）９等に接続されている。尚、呼出ランプ４は、従業員を呼び出すためのランプであり、島端計数装置５での従業員の呼出操作に応じて点灯する。
【０００８】
図１に示す遊技機２はＣＲ（カードリーダ）パチンコ機であり、盤面１１に玉を発射する発射装置を構成する操作ハンドル１２、上部受皿１３、下部受皿１４を有すると共に、盤面１１に、液晶表示部１５、始動口１６、大入賞口１７を有する。遊技機２において、遊技者が操作ハンドル１２を操作すると、玉（遊技媒体）が盤面１１に発射され、そのパチンコ玉が始動口１６に入賞すると、その入賞の発生に応じた玉数のパチンコ玉を払い出したり大当たり抽選を行ったりする。大当たり抽選では、液晶表示部１５において所謂特別図柄（特図）による図柄変動を実行し、停止表示された図柄が大当たり図柄の場合に大当たりが発生する。大当たりが発生すると、例えば１５ラウンド分だけ大入賞口１７を開放する。
【０００９】
尚、遊技機２は、遊技者による遊技が進行することに応じて、打ち込んだパチンコ玉の玉数である投入媒体数を特定可能なアウト信号、払い出されたパチンコ玉の玉数である払出媒体数を特定可能なセーフ信号、大当たり状態を特定可能な大当たり信号等の各種の遊技信号を出力する。
【００１０】
遊技機島１において遊技機２毎に設置されている貸出装置３は、紙幣（千円等）の投入が可能な紙幣投入口１８を有する所謂ＣＲユニットであり、ＣＰＵ、ＲＯＭ、ＲＡＭ、Ｉ／Ｏを有する制御部、各種信号を送受信する送受信部等を備えて構成されている。貸出装置３は、遊技者が紙幣を紙幣投入口１８に投入した状態で遊技機２に設けられている図示しない貸出ボタンを操作すると、払い出し単位の玉数のパチンコ玉が遊技機２の払出機構から払い出される。
【００１１】
管理装置８は、遊技場内の例えば事務室等に設置されており、遊技場の管理者が操作するキーボード８ａ、モニタ８ｂ、図示しないプリンタ等が接続されている。管理装置８は、上記した遊技場内における遊技機２、貸出装置３、島端計数装置５、及び景品交換端末９を含む各種機器から出力される信号等に基づいて、それら各種機器の稼動状況を管理するとともに、後述する計数履歴や貯玉に関する情報等を記憶管理する。
【００１２】
島端計数装置５は遊技媒体計数装置として、遊技機２で遊技者が獲得したパチンコ玉（獲得玉）を計数する計数機である。遊技者の獲得玉は玉箱に収納した上で、遊技機２から遊技機島１の島端まで運んで島端計数装置５を用いて計数する必要があり、その計数に係る作業は従業員により行われる。
【００１３】
図１に示す島端計数装置５は、その装置本体において上方が開放された凹状の獲得玉用投入容器２０、その開放面を開閉する開放位置と閉鎖位置との間でスライド移動するスライドカバー２１、計数情報等の各種情報を表示する表示機能及び従業員や遊技者の操作入力を受け付ける入力受付機能を有するタッチパネル式の液晶表示部２２、装置本体の状態を示すためのＬＥＤ表示部２４、装置本体の前面側で余り玉を放出する玉返却口２３を備える。
【００１４】
また、島端計数装置５には、レシート発行部２５、会員カードリーダ部２６、従業員カードリーダ部２７等が設けられており、図２では、係る発行部２５で発行されるレシート３５や、カードリーダ部２６，２７で読み取られる各カード３６，３７を示している。レシート３５は、投入容器２０に投入された獲得玉の計数結果としての計数値を示す２次元コード（或いはバーコード）や数字等が印字された紙片である。会員カード３６は、会員登録を行った遊技者を識別可能な会員ＩＤが記録されたＩＣチップを内蔵したＩＣカードである。従業員カード３７は、従業員を識別可能な従業員ＩＤが記録されたＩＣチップを内蔵したＩＣカードである。
【００１５】
図２の機能ブロック図で示すように、島端計数装置５は、ＣＰＵ３０ａ、ＲＯＭ３０ｂやＲＡＭ３０ｃといった記憶部３０Ｍ、Ｉ／Ｏ３０ｄ等を有するマイクロコンピュータにより構成される制御部３０を備える。制御部３０には、上記液晶表示部２２、ＬＥＤ表示部２４、レシート発行部２５、会員カードリーダ部２６、従業員カードリーダ部２７が接続されるとともに、液晶表示部２２の表面に設けられたタッチパネル３１、スライドカバー２１を自動ロックするカバーロック部３２、玉を計数する計数部３３、玉返却口２３へパチンコ玉を払い出す返却部２３ａ、各種信号を管理装置８との間で送受信するＩ／Ｆ部３４等が接続されている。
【００１６】
島端計数装置５は、計数作業を行う従業員ＩＤを認証する従業員ＩＤ認証手段として従業員カードリーダ部２７を有し、当該従業員ＩＤを認証することを条件として遊技媒体の計数が可能となる。
【００１７】
具体的には、獲得玉の投入口となる投入容器２０は、その開放面をスライドカバー２１（以下、カバー２１と略す）で閉鎖してカバーロック部３２によりロックした状態が維持されている。それ故、島端計数装置５において、獲得玉の計数を行う必要がないときには、投入容器２０へ獲得玉を投入できない計数不能状態とされている。そこで、獲得玉の計数を行う際、従業員がカードリーダ部２７に従業員カード３７を翳す認証操作を行うと、島端計数装置５の制御部３０（以下適宜、島端計数装置５と略す）は、カードリーダ部２７で読み取った従業員ＩＤを照合して認証し、認証に成功したと判断すると、カバーロック部３２によるロックを解除させる。この場合、島端計数装置５は、管理装置８に対して、ロック解除情報と従業員ＩＤとを送信する。
【００１８】
また、島端計数装置５において、カバーロック部３２のロック解除に伴い、カバー２１を閉鎖位置から開放位置へ手動でスライド移動させることにより、投入容器２０が開放された計数可能状態となる。こうして、島端計数装置５は、計数不能状態から計数可能状態へ移行するとともに、当該計数可能状態において投入容器２０へ投入された獲得玉の計数が可能に構成されている。尚、従業員のＩＤ（Identification）については、各島端計数装置５の記憶部３０Ｍに予め従業員のＩＤ情報（登録ＩＤ）テーブルが登録されており、従業員ＩＤの認証は、登録ＩＤと認証される従業員ＩＤとを照合することにより行う。
【００１９】
従業員は獲得玉が収納された玉箱を持って、投入容器２０へ獲得玉を投入すると、その獲得玉は容器２０底部の落下口（図示略）から落下して計数部３３で計数される。そして、島端計数装置５は、獲得玉の計数を終了したときに、会員カード３６がカードリーダ部２６の挿入口（図示略）に挿入されていれば、その獲得玉の計数値を貯玉預入数として液晶表示部２２に表示するとともに、貯玉預入数を含む計数完了情報を管理装置８へ送信する。
【００２０】
一方、島端計数装置５は、獲得玉の計数を終了したときに、会員カード３６がカードリーダ部２６の前記挿入口に挿入されていなければ、獲得玉の計数値を特定するバーコード（２次元コードでもよい）を記録したレシート３５を発行するとともに、その発行した計数値を含む計数完了情報を管理装置８へ送信する。
【００２１】
従業員は、一の遊技者の獲得玉についての上記作業（計数作業）後、待機中の他の遊技者がいれば、当該他の遊技者の獲得玉の計数作業へ移り、待機中の他の遊技がいなければ、カバー２１を開放位置から閉鎖位置へスライド移動させて作業を終了する。この場合、カバー２１は、閉鎖位置へ戻した時点で、カバーロック部３２により自動でロックされる。
【００２２】
島端計数装置５において、カバー２１を閉鎖位置へ戻す前に、計数作業を行う従業員が交代するときは、次の従業員がカードリーダ部２７での従業員カード３７の認証操作を行ってから交代する。これにより、島端計数装置５は、読み取った交代後の従業員ＩＤを管理装置８に送信する。尚、島端計数装置５では、自身の液晶表示部２２に、従業員の計数作業に応じて例えば、図示しない「貯玉」ボタン、レシートの「発券」ボタン、「計数完了」のタイトル、「カバーを閉めてください」等の指示内容や各種メッセージが表示されるようになっている。
【００２３】
管理装置８（履歴記録手段）は、島端計数装置５により従業員ＩＤが認証された履歴をロック解除情報に基づき認証履歴情報として記録するとともに、計数不能状態を元の状態とする島端計数装置５が計数可能状態へ移行してから再度計数不能状態へ復帰するまでの間に実行した計数処理の履歴を従業員ＩＤと対応付けた計数履歴として記録するようになっている。この管理装置８の構成について、図３と図４も参照しながら詳述する。
【００２４】
管理装置８は、図示しないＣＰＵ、ＲＡＭやＲＯＭといった記憶部、Ｉ／Ｏ等を有するマイクロコンピュータにより構成される制御部と、前記モニタ８ｂやプリンタ等からなる出力部（出力手段）と、前記キーボード８ａやマウス等からなる操作部とを備える。
【００２５】
管理装置８の記憶部には、各島端計数装置５や各会員口座を識別するためのデータが予め登録されている。管理装置８の制御部（以下適宜、管理装置８と略す）は、島端計数装置５から送信される計数値乃至貯玉預入数を含む計数完了情報に基づいて、その計数処理の履歴を島端計数装置５毎に記録し、その履歴や集計結果を、図３に示す計数作業履歴データや図４に示す従業員別集計データとしてモニタ８ｂでの表示出力乃至プリンタでの印刷出力が可能とされている。
【００２６】
ここで、図３は、計数作業履歴データの一例として、管理装置８にて管理者により指定入力された当日（営業日）の「計数機Ｎｏ．１」の島端計数装置５における計数作業を、「履歴Ｎｏ．１」〜「履歴Ｎｏ．６」まで抽出して示している。同図に示すように、管理装置８は、島端計数装置５から入力したロック解除情報や計数完了情報等に基づき、それら情報の入力「時刻」が早い方から「履歴Ｎｏ」を付して、カバー２１の「開放」を表すフラグ「Ｆ」、「発券」としてレシート３５を発行した「計数値」、若しくは「貯玉」としての「計数値」と、対応する従業員の「ＩＤ」とを関連付けて自身の記憶部に記録する。
【００２７】
「開放」の「Ｆ」は、カバーロック部３２のロック解除情報の管理装置８への入力により、カバー２１が開放されたものとみなして付されるフラグであり、その「時刻」はロック解除情報を管理装置８が入力した時点の時刻である。「発券」は、レシート３５を発行したときの獲得玉の計数値を表す計数処理の履歴であり、その「時刻」は管理装置８が計数完了情報を入力した時点の時刻である。「貯玉」は、会員カード３６の使用により獲得玉を貯玉として預け入れるときの計数値を表す計数処理の履歴であり、その「時刻」は管理装置８が計数完了情報を入力した時点の時刻である。
【００２８】
こうした「開放」と「発券」と「貯玉」は、何れも管理装置８において島端計数装置５から直近の入力として識別された（或いはそれら何れかと併せて入力された）従業員ＩＤと対応付けてある。換言すれば、管理装置８は、島端計数装置５において従業員ＩＤを認証して計数不能状態から計数可能状態へ移行した後に先の従業員ＩＤと異なる従業員ＩＤを認証したとき、その認証された従業員ＩＤが入力されることで、計数作業を行う従業員が途中で交代したものとして当該異なる従業員ＩＤを記録する。それ故、図３の「履歴Ｎｏ．１」〜「履歴Ｎｏ．６」は、次の具体事例に相応する。
【００２９】
履歴Ｎｏ．１  ：  従業員Ｘ（ＩＤ：1234）が、カバーロック部３２のロックを解除してカバー２１を開放した。
履歴Ｎｏ．２  ：  同じく従業員Ｘ（ＩＤ：1234）が、投入容器２０へ獲得玉を投入して、その計数値（１２３４玉）を表すレシート３５を発行した。
【００３０】
履歴Ｎｏ．３  ：  従業員Ｙ（ＩＤ：1003）が、カバーロック部３２のロックを解除してカバー２１を開放した。
履歴Ｎｏ．４  ：  同じく従業員Ｙ（ＩＤ：1003）が、投入容器２０へ獲得玉を投入して、その計数値（２９８７６玉）を貯玉預入数として貯玉した。
【００３１】
履歴Ｎｏ．５  ：  同じく従業員Ｙ（ＩＤ：1003）が、投入容器２０へ獲得玉を投入して、その計数値（３６０８玉）を表すレシート３５を発行した。
履歴Ｎｏ．６  ：  Ｎｏ．５の従業員Ｙから交代した従業員Ｚ（ＩＤ：1017）が、投入容器２０へ獲得玉を投入して、その計数値（１８５６玉）を表すレシート３５を発行した。
【００３２】
上記履歴Ｎｏ．２，４，５，６は、レシート３５発行或いは貯玉に対応した従業員につき、直近の従業員ＩＤを記録している。
図示は省略するが、上記計数作業履歴データは、管理装置８により管理・蓄積されるのであるから、島端計数装置５単位で表す記録に代えて、全ての島端計数装置５をひとまとめにした遊技場全体の単位で表す記録として、その履歴データを当該単位でモニタ８ｂに表示出力したりプリンタで印刷出力したりすることができる。
【００３３】
図４は、上記計数履歴に関するデータの一例として、上記従業員Ｙ及び他の従業員（ＩＤ：1001、1002）の所定時間帯における従業員別集計データを示している。
同図に示すように、管理装置８は、島端計数装置５で従業員ＩＤが認証された認証回数を、前記ロック解除情報の入力回数を全てカウント（計数）することにより、「開放回数」（カバー２１のロックを解除して開放した回数）として求める。また、管理装置８は、計数処理の回数を、計数完了情報の入力回数を全てカウントして求める。そして、管理装置８は平均計数処理回数算出手段として、「計数／開放」の欄で示すように、計数処理の回数を認証回数で除算することにより１回の認証に対する計数処理回数の平均値を求める。
【００３４】
即ち、管理装置８は、貯玉を伴う計数完了情報が入力された場合の当該入力の回数（「貯玉回数」（＝貯玉をした回数））と、貯玉を伴わない計数完了情報が入力された場合の当該入力の回数（「発券回数」（＝レシート３５を発行した回数））とを全てカウントする。これにより、島端計数装置５において１回のカバー２１の開放で行われる計数回数（貯玉回数＋発券回数）の平均値は、管理装置８により以下の式で算出される。
【００３５】
「計数／開放」＝（貯玉回数＋発券回数）／開放回数
尚、計数処理の履歴及びカバー２１開放の履歴は、何れも従業員ＩＤと対応付けてあるから、上記した島端計数装置５単位で或いは遊技場全体等の単位で、計数作業に係る従業員の全部又は一部を対象とする集計・演算結果を、モニタ８ｂに表示出力したりプリンタで印刷出力したりすることができる。
【００３６】
次に、上記遊技場用システムの作用について、図５も参照しながら説明する。図５は、管理装置８によって定期的に実行される計数作業履歴記録処理を示している。
管理装置８は、計数作業履歴記録処理の開始タイミングになったと判定すると、カバー２１のロック解除情報と従業員ＩＤの入力が有るか否かを判定する（Ｓ１）。管理装置８は、ロック解除情報と従業員ＩＤの入力が無いと判定し（Ｓ１：ＮＯ）、且つ従業員ＩＤのみの入力も無いと判定し（Ｓ４：ＮＯ）、且つ計数完了情報の入力も無いと判定した場合（Ｓ６：ＮＯ）、計数作業履歴記録処理を終了してリターンする。
【００３７】
一方、遊技機２で遊技者により獲得された玉を計数する場合、例えばインカム装置の音声案内により駆けつけた従業員は、その獲得玉を玉箱に収納した状態で島端計数装置５まで運ぶ。従業員はカード３７を島端計数装置５に翳す認証操作により、カバー２１のロックを解除させ、カバー２１を手動で開放する。この場合、管理装置８は、島端計数装置５での認証の成功に伴い、ロック解除情報と併せて従業員ＩＤの入力が有ったと判定すると（Ｓ１：ＹＥＳ）、計数作業履歴データに係る新規レコードを作成する（Ｓ２）。この場合、管理装置８は、現時点での時刻とカバー２１の「開放」を表すフラグ「Ｆ」とを、従業員「ＩＤ」と対応付けて記録する（Ｓ３、図３参照）。
【００３８】
カバー２１が開放された島端計数装置５において獲得玉を玉箱から投入するとき、従業員の交代はないもの、つまり異なる従業員ＩＤが管理装置８に入力されることがないもの（Ｓ４：ＮＯ）とする。また、係る獲得玉の計数が完了した場合、会員カード３６がカードリーダ部２６にセットされていることにより、管理装置８は、貯玉預入数としての計数値を含む計数完了情報の入力が有ったと判定すると（Ｓ６：ＹＥＳ）、新規レコードを作成する（Ｓ７）。この場合、管理装置８は、現時点での時刻と「貯玉」の預入数を、直近の従業員「ＩＤ」と対応付けて記録する（Ｓ８、図３の履歴Ｎｏ．４参照）。
【００３９】
これに対し、カバー２１を開放したまま、従業員の交代により別の従業員が計数作業を行うものとする。この場合、管理装置８は、別の従業員のカードリーダ部２７での認証操作に伴い、島端計数装置５から従業員ＩＤの入力が有ったと判定すると（Ｓ４：ＹＥＳ）、次の計数作業と対応づける従業員ＩＤとして取得する（Ｓ５）。
【００４０】
続いて、交代後の従業員が島端計数装置５に獲得玉を投入して、その獲得玉の計数を行い、貯玉をせずにレシート３５を発行するものとする。この場合、管理装置８は、計数値を含む計数完了情報の入力が有ったと判定すると（Ｓ６：ＹＥＳ）、新規レコードを作成し（Ｓ７）、現時点での時刻と「発券」の計数値を、Ｓ５で取得した従業員「ＩＤ」と対応付けて記録して（Ｓ８、図３の履歴Ｎｏ．６参照）、計数作業履歴記録処理を終了する（リターンする）。
【００４１】
尚、計数を希望する全ての遊技者の計数を終了した場合、従業員はカバー２１を閉鎖してロックされたこと、つまり島端計数装置５の計数可能状態から計数不能状態への移行を確認する。
【００４２】
上記実施形態によれば、次のような効果を奏する。
管理装置８は、島端計数装置５での従業員ＩＤの認証履歴だけでなく、従業員が実際に行った計数処理の履歴も合わせて確認することができるので、各従業員の計数作業の状況をより詳細に把握することが可能となる。
【００４３】
従業員ＩＤの１回の認証に対する計数処理回数の平均値を確認することも作業状況を把握する上で有意義といえる。図３に例示したように、従業員は、１回の従業員ＩＤの認証で複数回の計数作業を行う場合が多いので、従業員ＩＤの認証回数だけでなく実際の計数作業回数を特定することにより、従業員の計数作業状況を精度よく把握することができるからである。
島端計数装置５での計数作業の途中で別の従業員に交代した場合には、上記実施形態の如く管理装置８において、その交代した新たな従業員ＩＤと対応付けて計数履歴を記録するのが望ましい。
【００４４】
本発明は、上記した実施形態にのみ限定されるものではなく、以下のように変形又は拡張することができる。
従業員ＩＤの認証を島端計数装置５が行うようにしたが、読み取った従業員ＩＤを管理装置８へ送信して管理装置８側で認証を行い、島端計数装置５ヘフィードバックする（計数可能状態への移行を指示する）ようにしてもよい。
【００４５】
従業員ＩＤの認証媒体を従業員カード３７としたが、これに限定されるものではない。例えば、従業員が携帯するリモコン装置から島端計数装置５に従業員ＩＤを送信するようにしてもよい。或いは、指紋や声紋などの生体情報に基づいて認証を行うようにしてもよい。従って、島端計数装置５の有する従業員ＩＤ認証手段は、従業員カードリーダ部２７に限らず、リモコン信号を受け付ける手段、或いは生体情報を受け付ける手段等で構成してもよい。
【００４６】
島端計数装置５において計数した遊技媒体を貯玉できるようにしたが、貯玉できる構成を無くし、必ずレシート３５を発行するようにしてもよい。また、レシート３５の発行に代えてカードを発行するようにしてもよい。
【００４７】
島端計数装置５は、一つの遊技機島１に対して１台又は２台程度設置するのが望ましい。
尚、管理装置８は、履歴記録手段及び平均計数処理回数算出手段を構成するものであるが、厳密には自身８の内蔵する前記記憶部を含む制御部が履歴記録手段及び平均計数処理回数算出手段を構成している。よって例えば、管理装置８の外部記憶装置に、履歴記録手段としての機能を持たせてもよく、この場合でも、管理装置８の制御部が外部記憶装置の計数履歴の読み込み或いは書き込み及び前記算出を行うことにより、履歴記録手段及び平均計数処理回数算出手段として機能する。
【００４８】
更に本発明は、上記した実施形態の構成や変形例も含めて、どのように組み合わせてもよいし、適宜、採用しない構成を設けてもよい。
【符号の説明】
【００４９】
図面中、２は遊技機、５は島端計数装置（計数機）、８は管理装置（履歴記録手段、平均計数処理回数算出手段）、２７は従業員カードリーダ部（従業員ＩＤ認証手段）である。
【図１】
0006739992.tif 000002
【図２】
0006739992.tif 000003
【図３】
0006739992.tif 000004
【図４】
0006739992.tif 000005
【図５】
0006739992.tif 000006